(57)【要約】【課題】肌着などの商品を確りと掛け止めて脱落するのを防止することができ、丈夫で、製造コストが安価で、一般に紙くずと一緒に廃棄しできる、環境にやさしい、クリップ付き紙製ハンガーにすること。【解決手段】腰の強い紙製ハンガー２と、２個のクリップ４，４とを有し、紙製ハンガー２は、幅広い中央面２Ｍと、中央面２Ｍの両側の翼部２Ｌ，２Ｒとが縦方向の折り目３Ｌ，３Ｒにより区分され、２本の折り目３Ｌ，３Ｒを中心に翼部２Ｌ，２Ｒを中央面２Ｍの裏側に折り重ねた状態にして、翼部２Ｌ，２Ｒの上縁部と中央面２Ｍの上縁部とがクリップ４，４で留め付けられる構成にした。【選択図】図１
0003166177.tif 000002
【実用新案登録請求の範囲】
【請求項１】
ボール紙等の腰の強い厚紙を素材とする紙製ハンガーと、２個のクリップとによる組み合わせ品であり、
前記紙製ハンガーは、幅広い中央面と該中央面の両側に位置する左右の翼部とが、縦線方向の折り目により区分され、
該２本の折り目を中心にして各翼部を前記中央面の裏側に向けて折り重ねた状態において、左右の翼部における上縁部の所定個所と前記中央面の上縁部とが重なり合う個所に、下方に向けた凹形状の切欠き部からなる前記クリップの留付け部が設けられていることを特徴とする、クリップ留め式紙製ハンガー。
【請求項２】
前記クリップは、コットンパルプ又は木材パルプを素材とする天然繊維素系プラスチック製の硬質クリップである、請求項１に記載のクリップ留め式紙製ハンガー。
【請求項３】
前記クリップは、肉厚が１〜２ｍｍ、直径が３０ｍｍ程度の平板ドーナツ形状の１部個所に、前記紙製ハンガーの折り重ねた２枚の紙厚を挟む大きさの切欠き部が、外周部の１箇所から中央の孔に向けて、設けられた形状を有するクリップである、請求項１又は２に記載のクリップ留め式紙製ハンガー。
【請求項４】
前記クリップは、角形細軸形状の途中部が折り返された、略ヘアピン形状、又はＵ形状を有するプラスチック製クリップである、請求項１に記載のクリップ留め式紙製ハンガー。
【請求項５】
前記紙製ハンガーは、前記左右の翼部の下部に、斜め方向の細幅の切欠き部が横方向に間隔を設けて上方に向けて数本設けられて、該各切欠き部の間に複数本の足部が形成されている、肌着用の紙製ハンガーである、請求項１乃至４のいずれかの項に記載のクリップ留め式紙製ハンガー。
【請求項６】
前記広幅の中央面の表面は、商品の広告又は消費者に好まれる絵柄等の販促用の表示欄とされている、請求項１乃至５のいずれかの項に記載のクリップ留め式紙製ハンガー。
【考案の詳細な説明】
【技術分野】
【０００１】  本考案は、紙製ハンガーの広幅中央面の両側に位置する両翼部分を広幅中央面の裏側に重なる方向に折り返してクリップ留めすることにより肌着などの薄物布製品を支持させる、クリップ留め式紙製ハンガーに関する。
【背景技術】
【０００２】  現在、店頭では、女性用の肌着（インナーウエア）は、例えば、特許文献１に記載の専用の小型プラスチック製ハンガー、及び金属細棒製ハンガー等に取り付けられて、ハンガーとともに掛け吊るされて展示販売されている。これらのハンガーは、肌着メーカーの工場で肌着毎に取り付けられ、梱包されて出荷される。特許文献１に記載のハンガーは、ハンガー基部面から下方に複数本の足部を有し、ハンガー基部面の上端中央にフックを有する硬質プラスチック一体成形品である。このハンガーの場合には、肌着を下部の各足部に脱落しないように掛け止めるようにして取り付ける。金属細棒製ハンガーの場合には、肌着を掛けるようにして取り付ける。
店頭でこの種のハンガーに取り付けられた肌着を消費者が購入すると、プラスチック製のハンガーは廃棄処分されたり、回収してリサイクル使用される。金属製ハンガーは高価であるため回収されてリサイクル使用される。
【先行技術文献】
【特許文献】
【０００３】
【特許文献１】実用新案登録第３０７６６１７号公報
【考案の概要】
【考案が解決しようとする課題】
【０００４】  しかしながら、最近ではプラスチック製のハンガーを廃棄処分する場合、紙屑などの燃えるゴミと分別しなければならず、店舗営業の時間終了後に帰宅前の従業員がこの分別をしなければならないという手間が必要であった。
プラスチック製ハンガーの洗浄によるリサイクルは、プラスチック資源の有効利用という点で優れるが、数回程度のリサイクルが限度である。プラスチック製ハンガーをペレットに戻して再生ハンガーとしてリサイクルする方法は、新品製品よりも製造コスト高くつく。プラスチック製品を焼却処分したり廃棄すると、環境汚染を招く。
このようにプラスチック製ハンガーは、後処分において様々は課題を抱えている。【０００５】  のため、使用後の廃棄処理が容易で、一般ゴミとして焼却処分ができる紙製ハンガーが提案されている。紙製ハンガーは表面等に販促用のデザイン等を印刷することができ、販促用のシール等の印刷物を貼り付けることが容易である。
しかしながら、従来の肌着用紙製ハンガーは、従来のプラスチック製ハンガーと同様の方法で、肌着を掛止させる形状であるため、ハンガーの足や突起部が、肌着を展示販売しているときに折れたり千切れたりすることがあり、肌着用のハンガーとして使用するまで強度が確保されていない。これはハンガーが紙製であることに起因する。
強度がある加工処理がされた紙でハンガーを製造することは可能であるが、製造コストが高くつく。このため、簡単な構造で、丈夫で、確りと肌着を掛け止めることができる紙製ハンガーは未だ市場に流通していない。【０００６】  本考案は、斯かる事情に鑑みて提案されたものであり、肌着などの商品を確りと掛け止めて、ハンガーから脱落するのを防止し、しかも、丈夫であり、幅広い表側中央面にポップなどの販促用の印刷を施したり、シールなどを貼り付けることに全く問題が無い、製造コストが格段に安価で、一般に紙くずと一緒に廃棄しできる、環境にやさしい、クリップ留め式紙製ハンガーを提供することを解決課題とする。
【課題を解決するための手段】
【０００７】  請求項１の考案に係るクリップ留め式紙製ハンガーは、ボール紙等の腰の強い厚紙を素材とする紙製ハンガーと、２個のクリップとによる組み合わせ品であり、前記紙製ハンガーは、幅広い中央面と該中央面の両側に位置する左右の翼部とが、縦線方向の折り目により区分され、該２本の折り目を中心にして各翼部を前記中央面の裏側に向けて折り重ねた状態において、左右の翼部における上縁部の所定個所と前記中央面の上縁部とが重なり合う個所に、下方に向けた凹形状の切欠き部からなる前記クリップの留付け部が設けられている。【０００８】  この紙製ハンガーは、左右の翼部を利用して肌着を掛止させた状態で、肌着の両側部分とともに左右の翼部を中央面の裏面に重なる方向に折り返した状態にして、左右の翼部の上縁部と中央面の上縁部とを重ねた状態にし、翼部が中央面から離れないように前記クリップで留める。このようにすると、肌着の上部の一部が左右の翼部と中央面に挟み付けられた状態で、確りと保持される。【０００９】  請求項２の考案に係るクリップ留め式紙製ハンガーでは、前記クリップには、コットンパルプ又は木材パルプを素材とする天然繊維素系プラスチック製の硬質クリップが用いられている。この素材の詳細は実施例の欄で詳述する。【００１０】  請求項３の考案に係るクリップ留め式紙製ハンガーに用いられているクリップは、肉厚が１〜２ｍｍ、直径が３０ｍｍ程度の平板ドーナツ形状の１部個所に、前記紙製ハンガーの折り重ねた２枚の紙厚を挟む大きさの切欠き部が、外周部の１箇所から中央の孔に向けて設けられている。これに対して、請求項４の考案に係るクリップ留め式紙製ハンガーに用いられているクリップは、角形細軸形状の途中部が折り返された、略ヘアピン形状、又はＵ形状を有するプラスチック製クリップが用いられている。【００１１】  請求項５の考案に係るクリップ留め式紙製ハンガーは、上記いずれかの構成において、前記紙製ハンガーは、前記左右の翼部の下部に、斜め方向の細幅の切欠き部が横方向に間隔を設けて上方に向けて数本設けられて、該各切欠き部の間に複数本の足部が形成されている、肌着用の紙製ハンガーで構成されている。【００１２】  請求項６の考案に係るクリップ留め式紙製ハンガーは、更に、前記広幅の中央面の表面は、商品の広告又は消費者に好まれる絵柄などの販促用の表示欄とされている。
【考案の効果】
【００１３】  本考案に係るクリップ留め式紙製ハンガーによれば、薄物生地を素材とする商品の両側部を左右の翼部掛けた状態で、左右の翼部を前記中央面の裏側に重なるまで折り重ねて、クリップで翼部が中央面に重なった状態から離れないように、クリップ留めすることができるため、商品を左右の翼部と中央面に強く挟んだ状態で、紙製ハンガーに取り付けることができる。
この留め付け構造は、ハンガーを安価な紙製にすることができ、肌着等の薄物生地を確りと留め付けることができる。しかも、使用後に一般の紙屑と一緒に廃棄できるため、分別廃棄する手間が掛からず、環境に悪影響を与えない。【００１４】  とくに、上記クリップとして、天然繊維素系プラスチック製の硬質クリップを用いると、クリップの型崩れがなく、クリップの廃棄処理も紙と同様の一般ゴミとして処分できる。このため、分別廃棄に手間が掛からず環境に悪影響を与えない。プラスチック製クリップを用いると、丈夫なクリップが安価で製造できる。【００１５】  また本考案に係るクリップ留め式紙製ハンガーによれば、幅広い表側中央面に、販促用のポップなどを印刷したり、シールなどを貼り付けることができるため、顧客に対する購買意欲を促進させる。
【図面の簡単な説明】
【００１６】
【図１】（ａ）は本考案実施形態に係るクリップ留め式紙製ハンガーを示した斜視図、（ｂ）は同じく正面図、（ｃ）はクリップの拡大斜視図、（ｄ）はクリップの拡大正面図。
【図２】（ａ）は本考案実施形態に係るクリップ留め式紙製ハンガーの折り畳み途上の状態を示した斜視図、（ｂ）は同じく折畳みを終えた直後の状態を表面側から見た斜視図、（ｃ）は同じく裏面側から見た斜視図。
【図３】（ａ）は折畳んだ紙製ハンガーにクリップを取り付ける直前の状態を示した正面図、（ｂ）は同じくクリップを取り付けた状態を裏面側から見た斜視図、（ｃ）はその一部の拡大図。
【図４】（ａ）は本考案実施形態に係るクリップ留め式紙製ハンガーに肌着を掛け止める最初手順を示した正面図、（ｂ）は同じく裏面図。
【図５】（ａ）は同じく次の手順を示した正面図、（ｂ）は同じく裏面図。
【図６】（ａ）は同じく最後の手順においてクリップを取り付ける直前の状態を示した正面図、（ｂ）は同じくクリップを取り付けた状態の斜視図。
【図７】本考案実施形態に係るクリップ留め式紙製ハンガーの使用状態図。
【図８】吊り下げ用の孔の他形状を示した紙製ハンガーの部分正面図。
【図９】（ａ）はクリップの他形状を示した斜視図、（ｂ）はその使用状態を示した紙製ハンガーの背面側の部分斜視図。
【考案を実施するための形態】
【００１７】  本考案は次の実施例により更に明確に理解されるであろう。
【実施例】
【００１８】  図１（ａ）及び（ｂ）に示すように、本考案実施形態に係るクリップ留め式紙製ハンガー１は、ボール紙等の腰の強い厚紙を素材とする紙製ハンガー２と、２個のクリップ４，４とによる組み合わせ品で搆成される。この実施形態による紙製ハンガー１は、小売店において、肌着を掛け吊るして展示販売する際に用いられる形状を有する。【００１９】  紙製ハンガー２は、横方向に幅広い中央面２Ｍを有し、中央面２Ｍの両側に翼部２Ｌ，２Ｒを有する。中央面２Ｍと左右の翼部２Ｌ，２Ｒとは、縦方向に形成された折り目３Ｌ，３Ｒにより区分されており、この折り目３Ｌ，３Ｒを中心にして、翼部２Ｌ，２Ｒを中央面２Ｍの裏面に重なるまで折り曲げることができる。この点において、左右部分を折り曲げることができない従来のハンガーとは大きく異なる。【００２０】  中央面２Ｍの横幅は、翼部２Ｌ，２Ｒの横幅を合わせた長さよりも長くして、翼部２Ｌ，２Ｒを折り曲げたときに、翼部２Ｌ，２Ｒどうしが重ならないようにしてある。中央面２Ｍの中央上部個所には、商品陳列用掛け具の掛け部であるバーに掛け通す孔２１が開設されている。この点において、フック部が形成されている従来のプラスチックハンガーとは大きく異なる。【００２１】  翼部２Ｌ，２Ｒの下部には、下方に向かうに従って若干外側方向に傾斜した細幅の切欠き部Ｓ・・・が、左右に各３本、横方向に間隔を設けて設けられており、これらの切欠き部Ｓ・・・が、翼部２Ｌ，２Ｒの下部に各３本の足部２２Ｌ，２２Ｒ，２３Ｌ，２３Ｒ，２４Ｌ，２４Ｒを形成している。切欠き部Ｓ・・・と足部２２Ｌ，２２Ｒ，２３Ｌ，２３Ｒ，２４Ｌ，２４Ｒは、肌着を掛止させるためにあり、具体的な掛止例は後述する。
足部２２Ｌ，２２Ｒ，２３Ｌ，２３Ｒ，２４Ｌ，２４Ｒは、下端部に向かうに従って若干外側に向けられており、いる。足部２２Ｌ，２２Ｒ，２３Ｌ，２３Ｒ，２４Ｌ，２４Ｒの下端部の両角個所は、肌着を引っ掛けて傷つけないように、丸み処理されている。【００２２】  左右の翼部２Ｌ，２Ｒの上縁部における側端寄りの個所には、小さな凹形状の切欠き部２５Ｌ，２５Ｒが夫々設けられている。そして、左側の折り目３Ｌを中心にして、左側の切欠き部２５Ｌと対称方向となる中央面２Ｍの上縁部における左寄りの個所に、この切欠き部２５Ｌと略同じ形状及び大きさの、小さな凹形状の切欠き部２６Ｌが設けられている。同様に、中央面２Ｍの上縁部における左寄りの個所に、右側の切欠き部２５Ｒと対称になる切欠き部２６Ｒが設けられている。【００２３】  図１（ｃ）及び（ｄ）に示すクリップ４は、直径Ｄ１が約１５ｍｍ、中央の孔４ａの内径が約５ｍｍ、肉厚が約２ｍｍの大きさがある小さな平板ドーナツ形状を有し、紙製ハンガー１に用いられている厚紙を２枚重ねした厚さを挟み付ける幅のある切欠き部４ｂが外周面から孔４ａに向けて形成されている。
このクリップ４は、コットンパルプを素材とする天然繊維素系プラスチック製の硬質クリップであり、東洋ファイバー株式会社製の製品名「バルカナイズド・ファイバー」が最適な材料とされる。この材料は引張強度及び圧縮強度等の機械的強度、耐湿製及び耐水性、寸法安定性に優れ、機械部品、各種容器、雑貨、包装資材等に使用されている。このため、クリップに用いても型崩れしない。【００２４】  図２（ａ）〜（ｃ）及び図３（ａ）〜（ｃ）に示すように、紙製ハンガー２は、折り目３Ｌ，３Ｒを中心にして、左右の翼部２Ｌ，２Ｒを中央面２Ｍの裏面に重なる位置まで折り曲げることができる。
この折り曲げを行うと、左側の翼部２Ｌの上縁部に設けられている切欠き部２５Ｌと、中央面２Ｍの上縁部における左寄りの個所に設けられている切欠き部２６Ｌとが重なる。同様に、右側の翼部２Ｒの上縁部に設けられている切欠き部２５Ｒと、中央面２Ｍの上縁部における右寄りの個所に設けられている切欠き部２６Ｒとが重なる。この重なった２箇所の切欠き部２５Ｌ，２６Ｌ、２５Ｒ，２６Ｒが、クリップ４，４を上方から挟み入れて留め付ける留め付け部Ｐ，Ｐになる。
留め付け部Ｐ，Ｐの上方からクリップ４，４を夫々挟み付けると、左右の翼部２Ｌ，２Ｒが中央面２Ｍに重なった状態が維持される。クリップ４，４を凹形状の留め付け部Ｐ，Ｐ内に挟みつけると、クリップ４，４に手や周囲のハンガーが触れても、不用意に脱落しにくい。【００２５】  図４（ａ）及び（ｂ）は、本考案実施形態のクリップ留め式紙製ハンガー１を用いて肌着５０を掛ける最初の手順を示している。
最初の手順は、肌着５０の上部２１の両側部を紙製ハンガー２の左右の翼部２Ｌ，２Ｒに掛けることから始まる。この掛ける作業では、紙製ハンガー２の足部２２Ｌ，２２Ｒ，２３Ｌ，２３Ｒ，２４Ｌ，２４Ｒを利用して行ない、紙製ハンガー２の表側の中央面２Ｍが肌着５０の上部５１で隠れない掛け方にする。肌着をハンガー掛ける方法は、肌着の種類及び大きさ等に応じて、従来から幾通りもあるため、これについての詳述は省略する。【００２６】  紙製ハンガー２に肌着５０を掛けた後は、図５（ａ）及び（ｂ）に示すように、左右の翼部２Ｌ，２Ｒを肌着５０の両側部分とともに、中央面２Ｍの裏面に重なる方向に折り曲げる。【００２７】  そして、図６（ａ）及び（ｂ）に示すように、重なった２箇所の切欠き部Ｐ，Ｐに、上方からクリップ４，４を夫々挟み付けて、肌着５０を左右の翼部２Ｌ，２Ｒと中央面２Ｍとにより挟み付ける。このようにすると、肌着５０は左右の翼部２Ｌ，２Ｒと中央面２Ｍに挟まれた状態になって、更に確りと紙製ハンガー２に支持される。このため肌着５０は不用意に脱落しない。【００２８】  このようにして肌着５０を本考案実施形態のハンガー１に取り付けた後、図７に示す商品展示用掛け具７０のバー状の掛け部７２に掛け吊るす。この掛け具７０の掛け部７２は、上方のバー７１から下方に、前後方向に所定間隔を設けて複数設けられているため、複数の商品６０・・・が前後に並んで掛け吊り下げられている場合でも、所望の商品６０だけを取り出すことができる。【００２９】  図８に示す紙製ハンガー２に設けられている孔２１は、上記バー７１に掛け通し易くするため、大きな略三角形状を有する。【００３０】  図９に示すように、クリップ４は、上述したドーナツ形状以外にも、若干横幅方向が広い、角形細軸形状の途中部が折り返された、バルカナイズド・ファイバー又は汎用プラスチックを素材とする、Ｕ形状のクリップで構成されている。このクリップ４も、図３（ｂ）に示すクリップ４と同様の方法で紙製ハンガー２に挟み付けて使用する。
【産業上の利用可能性】
【００３１】  本考案に係るクリップ留め式紙製ハンガーは、従来のプラスチック製ハンガー、特にインナーウエア用のプラスチック製ハンガーの分野において利用可能性がある。
【符号の説明】
【００３２】１    本考案実施形態に係るクリップ留め式紙製ハンガー
２    紙製ハンガー
２Ｍ  中央面
２Ｌ，２Ｒ  翼部
３Ｌ，３Ｒ  折り目
２１  孔
２２Ｌ，２３Ｌ，２４Ｌ  足部
２２Ｒ，２３Ｒ，２４Ｒ  足部
２５Ｌ，２５Ｒ  切欠き部
２６Ｌ，２６Ｒ  切欠き部
Ｓ    切欠き部
４    クリップ
【図１】
0003166177.tif 000003
【図２】
0003166177.tif 000004
【図３】
0003166177.tif 000005
【図４】
0003166177.tif 000006
【図５】
0003166177.tif 000007
【図６】
0003166177.tif 000008
【図７】
0003166177.tif 000009
【図８】
0003166177.tif 000010
【図９】
0003166177.tif 000011